(57)【特許請求の範囲】
【請求項１】
被検体を透視撮影する透視撮影装置において、Ｘ線を被検体に照射するＸ線発生手段と、被検体を透過したＸ線を検出するＸ線検出手段と、Ｘ線を照射させる指示を前記Ｘ線発生手段に対して与える制御手段と、電極カテーテルを含む治療装置に対して、少なくとも前記照射指示に基づきＸ線を照射している期間は前記電極カテーテルへの電力供給を規制する治療装置規制手段と、を備えていることを特徴とする透視撮影装置。
【請求項２】
請求項１に記載の透視撮影装置において、前記治療装置規制手段は、前記照射指示に基づいて、所定の規制期間において電力の供給を規制するための規制信号を生成する信号生成手段と、前記規制信号を外部に出力する信号出力手段と、を備えていることを特徴とする透視撮影装置。
【請求項３】
請求項２に記載の透視撮影装置において、前記規制期間は、Ｘ線の照射が開始される時点よりも前に開始されることを特徴とする透視撮影装置。
【請求項４】
請求項２に記載の透視撮影装置において、前記規制期間は、Ｘ線の照射が終了する時点よりも後に終了することを特徴とする透視撮影装置。
【請求項５】
請求項１に記載の透視撮影装置において、前記治療装置規制手段は、さらに、前記治療装置に対して、前記電極カテーテルに電力を供給させるための駆動信号を、前記規制期間外において出力することを特徴とする透視撮影装置。
【請求項６】
被検体に透視撮影を行う透視撮影装置において、Ｘ線を被検体に照射するＸ線発生手段と、被検体を透過したＸ線を検出するＸ線検出手段と、装置と別体である治療装置に含まれる電極カテーテルへの電力供給がされていることを検知する検知手段と、前記電力供給を検知している場合には、前記Ｘ線発生手段からのＸ線の照射を規制する照射規制手段と、を備えていることを特徴とする透視撮影装置。
【発明の詳細な説明】
【技術分野】
【０００１】
この発明は、被検体に透視撮影を行う透視撮影装置に係り、特に、電極カテーテルを含む治療装置と併用したときのＸ線画像のノイズを抑制する技術に関する。
【背景技術】
【０００２】
従来、透視撮影を行う透視撮影装置により得られる被検体のＸ線画像を観察、診断しつつ、電極カテーテルを関心部位まで誘導して関心部位の組織を凝固、焼灼する治療方法がある。電極カテーテルの先端部位には電極が設けられ、この電極に高周波の電力を供給することで、電極カテーテルの位置合わせを行ったり、関心部位に刺激を与えたり、あるいは関心部位の組織を焼き切る（例えば、特許文献１参照）。
【特許文献１】特開２００４−２７５７７６号公報
【発明の開示】
【発明が解決しようとする課題】
【０００３】
しかしながら、このような構成を有する従来例の場合には、次のような問題がある。
すなわち、従来の装置は、術者の操作により、電極カテーテルを含む治療装置と透視撮影装置とが別個に駆動されているので、電極カテーテルに電力を供給している状態で、被検体を透視撮影する場合がある。電極カテーテルからは電磁波が発生しているので、この場合、得られるＸ線画像には、ノイズ（たとえばスジ状のノイズ）が発生してしまう不都合がある。また、電極カテーテルに供給される電力が高周波であるほど、その影響が顕著になる。
【０００４】
この発明は、このような事情に鑑みてなされたものであって、透視撮影装置が別体の電極カテーテルを含む治療装置と併用される場合であっても、Ｘ線画像のノイズを抑制することができる透視撮影装置を提供することを目的とする。
【課題を解決するための手段】
【０００５】
この発明は、このような目的を達成するために、次のような構成をとる。
すなわち、請求項１に記載の発明は、被検体を透視撮影する透視撮影装置において、Ｘ線を被検体に照射するＸ線発生手段と、被検体を透過したＸ線を検出するＸ線検出手段と、Ｘ線を照射させる指示を前記Ｘ線発生手段に対して与える制御手段と、電極カテーテルを含む治療装置に対して、少なくとも前記照射指示に基づきＸ線を照射している期間は前記電極カテーテルへの電力供給を規制する治療装置規制手段と、を備えていることを特徴とするものである。
【０００６】
［作用・効果］請求項１に記載の発明によれば、治療装置規制手段を備えることで、Ｘ線を照射している期間は電極カテーテルへの電力供給を規制するので、電極カテーテルから電磁波が発生していないときにＸ線検出手段はＸ線を検出することができる。したがって、Ｘ線検出手段の検出結果に基づいて得られるＸ線画像のノイズを抑制することができる。なお、電極カテーテルへの電力供給を規制している期間以外は、治療装置規制手段は治療装置に対して電極カテーテルへの電力供給を許容する。
【０００７】
この発明において、前記治療装置規制手段は、前記照射指示に基づいて、所定の規制期間において電力の供給を規制するための規制信号を生成する信号生成手段と、前記規制信号を外部に出力する信号出力手段と、を備えていることが好ましい（請求項２）。信号生成手段と信号出力手段とを備えることで、別体の、電極カテーテルを含む治療装置に対して、好適に電力供給を規制することができる。
【０００８】
さらに、この発明において、前記規制期間は、Ｘ線の照射が開始される時点よりも前に開始されることが好ましい（請求項３）。電極カテーテルから発生する電磁波の影響をさらに抑制することができる。
【０００９】
また、この発明において、前記規制期間は、Ｘ線の照射が終了する時点よりも後に終了することことが好ましい（請求項４）。電極カテーテルから発生する電磁波の影響をさらに抑制することができる。
【００１０】
また、この発明において、前記治療装置規制手段は、さらに、前記治療装置に対して、前記電極カテーテルに電力を供給させるための駆動信号を、前記規制期間外において出力することが好ましい（請求項５）。治療装置規制手段が駆動信号を出力するように構成することで、透視撮影装置によって治療装置を駆動させることができる。
【００１１】
請求項６に記載の発明は、被検体に透視撮影を行う透視撮影装置において、Ｘ線を被検体に照射するＸ線発生手段と、被検体を透過したＸ線を検出するＸ線検出手段と、装置と別体である治療装置に含まれる電極カテーテルへの電力供給がされていることを検知する検知手段と、前記電力供給を検知している場合には、前記Ｘ線発生手段からのＸ線の照射を規制する照射規制手段と、を備えていることを特徴とするものである。
【００１２】
［作用・効果］請求項６に記載の発明によれば、照射規制手段を備えることで、電極カテーテルへの電力供給が行われている期間はＸ線の照射を規制するので、電極カテーテルから電磁波が発生していないときにＸ線検出手段はＸ線を検出することができる。したがって、Ｘ線検出手段の検出結果に基づいて得られるＸ線画像のノイズを抑制することができる。なお、Ｘ線の照射を規制している期間以外は、照射規制手段はＸ線管からのＸ線の照射を許容する。
【００１３】
なお、本明細書は、次のような透視撮影装置、およびそれを備えた透視撮影システムに係る発明も開示している。
【００１４】
（１）請求項２に記載の透視撮影装置において、信号生成手段は、前記規制期間の開始タイミング、終了タイミング、および長さのうち少なくとも２つを設定することで規制信号を生成することを特徴とする透視撮影装置。
【００１５】
前記（１）に記載の発明によれば、制御手段によってＸ線を照射させる指示が与えられているので、信号生成手段が規制期間の開始タイミング、終了タイミング、および長さのうち少なくとも２つを設定することで、任意の規制期間を設定することができる。これにより、電極カテーテルから発生する電磁波の影響を的確に抑制することができる。
【００１６】
（２）請求項１に記載の透視撮影装置において、前記電力は、高周波であることを特徴とする透視撮影装置。
【００１７】
前記（２）に記載の発明によれば、電極カテーテルから発生する電磁波の影響が顕著なほど、Ｘ線画像のノイズを低減する効果が大きい。
【００１８】
（３）請求項１に記載の透視撮影装置と、前記透視撮影装置が備える前記治療装置規制手段によって電力供給が規制される電極カテーテルを有する治療装置と、を備えていることを特徴とする透視撮影システム。
【００１９】
前記（３）に記載の発明によれば、電極カテーテルを有する治療装置と透視撮影装置とを好適に併用することができる透視撮影システムを構成することができる。
【発明の効果】
【００２０】
この発明に係る透視撮影装置によれば、治療装置規制手段を備えることで、Ｘ線を照射している期間は電極カテーテルへの電力供給を規制するので、電極カテーテルから電磁波が発生していないときにＸ線検出手段はＸ線を検出することができる。したがって、Ｘ線検出手段の検出結果に基づいて得られるＸ線画像のノイズを抑制することができる。
【実施例１】
【００２１】
以下、図面を参照してこの発明の実施例１を説明する。
図１は、実施例１に係る透視撮影システムの概略構成を示すブロック図である。
【００２２】
実施例１に係る透視撮影システムは、大きく透視撮影装置１と治療装置３とに分けられる。透視撮影装置１は、被検体Ｍを載置する図示省略の天板と、被検体ＭにＸ線を照射するＸ線管１１と、被検体Ｍを透過したＸ線を検出するフラットパネル型Ｘ線検出器（以下、適宜「ＦＰＤ」という）１３とを備えている。Ｘ線管１１とＦＰＤ１３とは、互いに対向するように図示省略のアームに保持されており、このアーム自体が回転することでＸ線管１１とＦＰＤ１３とが被検体Ｍの周りを回転可能に構成されている。Ｘ線管１１は、この発明におけるＸ線発生手段に相当する。ＦＰＤ１３は、この発明におけるＸ線検出手段に相当する。
【００２３】
ＦＰＤ１３の検出面には、Ｘ線を検出する多数の検出素子（図示省略）が設けられており、検出素子ごとにＸ線を検出して検出信号（電荷情報）を生成する。そして、ＦＰＤ１３が各検出素子から読み出し駆動することによって検出信号を収集する。収集された検出信号は、図示省略のＡ／Ｄ変換器を介して、ＦＰＤ１３から画像処理部１５に出力される。画像処理部１５は、検出信号に対して補正等の各種処理を行って画像データを得る。得られた画像データは、適宜、画像処理部１５に備えられる記憶部（図示省略）に記憶され、モニタ１７に出力される。モニタ１７は画像データに基づきＸ線画像を表示する。
【００２４】
なお、画像処理部１５は、各種処理、操作を実行する中央演算処理装置（ＣＰＵ）や、演算処理の作業領域となるＲＡＭ（Random-Access Memory）や、各種情報を記憶する固定ディスク等の記憶媒体等によって実現されている。
【００２５】
Ｘ線管１１には高電圧発生器１９が電気的に接続されており、高電圧発生器１９はＸ線管１１に所定の管電圧を印加する。
【００２６】
同期ユニット２１は、ＦＰＤ１３と高電圧発生器１９とに接続されており、Ｘ線の照射とＸ線の検出とを同期させる。具体的には、ＦＰＤ１３が検出信号を収集するタイミングに応じて高電圧発生器１９からＸ線管１１に管電圧を印加させる。これにより、Ｘ線を所定の照射時間に照射させるための指示を、Ｘ線管１１に対して間接的に与える。また、同期ユニット２１は、画像処理部１５にも接続されており、画像データの出力等をＸ線の照射及びＸ線の検出に同期させる。同期ユニット２１は、この発明における制御手段に相当する。
【００２７】
この治療装置規制部２３は、信号生成部２５と信号出力部２７とを備えている。信号生成部２５は同期ユニット２１に接続されており、Ｘ線管１１に対して与えられる照射時間の指示に基づいて、電極カテーテル３１への電力供給を所定の規制期間において規制するための規制信号を生成する。本実施例１では、Ｘ線の照射時間にあたる期間を規制期間として設定する。なお、信号生成部２５も、各種処理、操作を実行する中央演算処理装置（ＣＰＵ）や、演算処理の作業領域となるＲＡＭ（Random-Access Memory）や、各種情報を記憶する固定ディスク等の記憶媒体等によって実現されている。
【００２８】
信号出力部２７は信号生成部２５に接続されており、生成された規制信号を透視撮影装置１の外部に出力する。
【００２９】
次に、治療装置３について説明する。治療装置３は、複数（２個）の電極カテーテル３１ａ、電極カテーテル本体３１ｂと対極板３１ｃと、検出用カテーテル３３と、高周波発生源３５と、高周波検出器３７とを備えている。電極カテーテル３１ａと検出用カテーテル３３は対になっており、各カテーテル３１ａ、３３の先端部にはそれぞれ電極（図示省略）が設けられている。電極カテーテル３１ａに付設される電極は高周波発生源３５に接続され、検出用カテーテル３３に付設される電極は高周波検出器３７に接続されている。そして、電極カテーテル３１ａに付設される電極に高周波発生源３５から高周波電力を供給するとともに、検出用カテーテル３３に付設される電極に発生する電気を高周波検出器３７により検出することで、関心部位に刺激を与えたり、電極カテーテル３１ａの位置合わせを行う。
【００３０】
また、電極カテーテル本体３１ｂと対極板３１ｃとは１個の電極カテーテルを構成するものであり、電極カテーテル本体３１ｂの先端部に付設される電極（図示省略）と対極板３１ｃとは、ともに高周波発生源３５に接続されている。なお、対極板３１ｃは被検体Ｍの体表に取り付けられて使用される。そして、電極カテーテル本体３１ｂと対極板３１ｃとに高周波電力を供給することで、電極カテーテル本体３１ｂに付設される電極から関心部位に高周波電界を放射させて関心部位を加熱する。
【００３１】
以下では、電極カテーテル３１ａ、電極カテーテル本体３１ｂおよび対極板３１ｃを電極カテーテル３１と総称するとともに、電極カテーテル３１ａ、電極カテーテル本体３１ｂ、または対極板３１ｃに高周波電力を供給することを、適宜「電極カテーテル３１に高周波電力を供給する」と表現する。
【００３２】
また、治療装置３は、図示省略の操作部が設けられており、術者からの指示に基づいて動作するように構成されている。さらに、高周波発生源３５は、上述した信号出力部２７と接続されており、術者からの指示内容に関わらず、規制信号に基づく規制期間の間は高周波電力の出力を規制するように構成されている。
【００３３】
次に、実施例１に係る透視撮影システムの動作について説明する。図２（ａ）は、Ｘ線の照射時間のタイミングチャートであり、図２（ｂ）は高周波電力の供給が規制される規制期間のタイミングチャートである。
【００３４】
同期ユニット２１が、時刻ｔ１〜時刻ｔ２、時刻ｔ３〜時刻ｔ４、時刻ｔ５〜時刻ｔ６、時刻ｔ７〜時刻ｔ８をそれぞれ照射期間とする指示を高電圧発生器１９に与える。これにより、各照射期間にＸ線管１１からＸ線が照射される（図２（ａ）参照）。
【００３５】
信号生成部２５は、同期ユニット２１による照射期間の指示に基づいて、Ｘ線の照射時間にあたる期間において高周波電力の供給を規制するための規制信号を生成する。生成された規制信号は、上記照射期間にあたる期間が規制期間となり、規制期間外では電力の供給を許容する。
【００３６】
このような規制信号が信号出力部２７から高周波発生源３５に出力される。高周波発生源３５は規制信号を取り込み、規制期間の間は高周波電力を出力しないので、この間は電極カテーテル３１に高周波電力は供給されない（図２（ｂ）参照）。また、規制期間外は、電極カテーテル３１への電力供給は許容されるので、術者の指示に応じて電極カテーテル３１に高周波電力が供給される。
【００３７】
ＦＰＤ１３は、上記各照射時間において照射され、被検体Ｍを透過したＸ線を検出する。そして、得られた検出信号を収集し、画像処理部１５に出力する。画像処理部１５は検出信号に基づき画像データを生成する。生成された画像データは、適宜画像処理部１５に備えられる記憶部（図示省略）に記憶され、モニタ１７に出力される。モニタ１７は画像データに基づくＸ線画像を表示する。
【００３８】
このように、実施例１に係る透視撮影システムに用いられる透視撮影装置１によれば、治療装置３に対して電極カテーテル３１への電力供給を規制する治療装置規制部２３を備えているので、Ｘ線が照射されている照射時間に電極カテーテル３１から電磁界が発生することはない。よって、得られるＸ線画像には、電極カテーテル３１からの電磁界に起因するノイズが発生しない。
【００３９】
また、治療装置規制部２３は、信号生成部２５を備えることでＸ線の照射時間にあたる期間を規制期間とする規制信号を生成できる。また、信号出力部２７を備えることで好適に治療装置３に対して規制信号を出力できる。
【実施例２】
【００４０】
実施例２は、便宜上、図１を参照して説明する。実施例２に係る透視撮影システムに備えられる信号生成部２５は実施例１と機能が異なるので、この点を説明する。なお、その他の構成については実施例１と同じであるため、詳細な説明を省略する。
【００４１】
本実施例２における信号生成部２５は、Ｘ線の照射が開始される時点よりも所定時間Ｔａ前を規制期間の開始タイミングとし、かつ、Ｘ線の照射が終了する時点よりも所定時間Ｔｂ後を規制期間の終了タイミングとした規制期間を設定する。なお、信号生成部２５は、演算処理のプログラミングによって所定時間Ｔａ、Ｔｂの値を任意に変更することができる。
【００４２】
次に、実施例２に係る透視撮影システムの動作について説明する。図３（ａ）は、Ｘ線の照射時間のタイミングチャートであり、図３（ｂ）は高周波電力の供給が規制される規制期間のタイミングチャートである。
【００４３】
同期ユニット２１が高電圧発生器１９に対して与える指示により、各照射期間（時刻ｔ２〜時刻ｔ３、時刻ｔ６〜時刻ｔ７）にＸ線管１１からＸ線が照射される（図３（ａ）参照）。
【００４４】
信号生成部２５は、図３（ｂ）に示すような時刻ｔ１〜時刻ｔ４、時刻ｔ５〜時刻ｔ８を規制期間とした規制信号を生成する。具体的には、各規制期間は、Ｘ線の照射が開始される時点ｔ２、時刻ｔ６よりも所定時間Ｔａ前を開始タイミングとし、Ｘ線の照射が終了する時点ｔ３、時刻ｔ７よりも所定時間Ｔｂ後を終了タイミングとしている。
【００４５】
このような規制信号が信号出力部２７から高周波発生源３５に出力されることによって、各規制期間において電極カテーテル３１に高周波電力が供給されるが規制される。
【００４６】
このように、実施例２に係る透視撮影システムに用いられる透視撮影装置１によれば、信号生成部２５がＸ線の照射時間のみならず、その前後の所定の期間Ｔａ、Ｔｂを含む規制期間を設定するので、Ｘ線画像にノイズが発生することをより確実に防止することができる。
【実施例３】
【００４７】
以下、図面を参照してこの発明の実施例１を説明する。
図４は、実施例３に係る透視撮影システムの概略構成を示すブロック図である。なお、実施例１と同じ構成については同符号を付すことで詳細な説明を省略する。
【００４８】
実施例３に係る透視撮影システムは、信号入力部４１が設けられており、電極カテーテル３１への電力供給がされているか否かの信号を治療装置３から受け取ることができるように構成されている。信号入力部４１は、この発明における検知手段に相当する。
【００４９】
同期ユニット２２は、ＦＰＤ１３と高電圧発生器１９と信号入力部４１とに接続されており、Ｘ線の照射とＸ線の検出とを同期させるとともに、電極カテーテル３１への電力供給が行われているときはＸ線管１１に対してＸ線の照射を規制する。なお、同期ユニット２２は、画像処理部１５にも接続されて、画像データの出力等をＸ線の照射及び検出に同期させる。同期ユニット２２は、この発明におけるＸ線管規制手段に相当する。
【００５０】
次に、実施例３に係る透視撮影システムの動作について説明する。図５（ａ）は電極カテーテルへの高周波電力の供給のタイミングチャートであり、図５（ｂ）はＸ線の照射時間のタイミングチャートである。
【００５１】
図５（ａ）に示すように、時刻ｔ３〜時刻ｔ４、時刻ｔ７〜時刻ｔ８の期間に、電極カテーテルへ高周波電力が供給されているものとする。
【００５２】
この場合、同期ユニット２２は、信号入力部４１を介して電極カテーテル３１へ高周波電力が供給されていることを検知して、時刻ｔ３〜時刻ｔ４、時刻ｔ７〜時刻ｔ８の各期間において、Ｘ線管１１からのＸ線の照射を規制する。また、時刻ｔ３より前、時刻ｔ４〜時刻ｔ７の期間は、Ｘ線管１１からのＸ線の照射を許容する。この結果、例えば、時刻ｔ１〜時刻ｔ２と時刻ｔ５〜時刻ｔ６の期間のように照射時間が設定されて、Ｘ線が照射される。
【００５３】
このように、実施例３に係る透視撮影システムに用いられる透視撮影装置１によれば、信号入力部４１と同期ユニット２２を備えることで、電極カテーテル３１への高周波電力の供給が行われているときはＸ線管１１からのＸ線の照射を規制する。逆に、Ｘ線の照射が許容されるのは、電極カテーテル３１から電磁界が発生していないときに限られる。よって、Ｘ線画像にノイズが発生することを防止できる。
【００５４】
この発明は、上記実施形態に限られることはなく、下記のように変形実施することができる。
【００５５】
（１）上述した実施例１、実施例２では、信号生成部２５は規制期間のみを与える規制信号を生成していたが、これに限られない。たとえば、規制期間に加えて、規制期間外において電極カテーテル３１に高周波電力を供給する駆動期間も与える信号を生成するように構成してもよい。これによれば、透視撮影装置１によって治療装置３を適切に動作させることができる。電極カテーテル３１に高周波電力を供給させるための駆動信号を出力するように変更してもよい。これによれば、透視撮影装置１のみによって透視撮影装置１および治療装置３を駆動することができる。
【００５６】
（２）上述した実施例１、実施例２では、電極カテーテル３１への電力供給の規制は、高周波発生源３５へ規制信号を出力することで実現していたが、このような構成に限られない。たとえば、治療装置３に備えられる図示省略の制御部がある場合には、制御部に規制信号を出力するように構成してもよい。
【００５７】
また、電極カテーテル３１と高周波発生源３５との間の電気的な接続を強制的に遮断するスイッチ素子を透視撮影装置１が備えるように構成してもよい。図６は、このような変形例に係る透視撮影システムの概略構成を示すブロック図である。透視撮影装置１は、信号生成部２５に接続されたスイッチ素子５１を備えている。スイッチ素子５１は、規制期間において遮断し、規制期間外で短絡する。このスイッチ素子５１を、高周波発生源３５と電極カテーテル３１との間の電気回路に直列に接続する。このような変形例によっても、電極カテーテル３１への高周波電力の供給を規制することができる。なお、スイッチ素子５１および信号生成部２５が、この発明における治療装置規制手段に相当する。
【００５８】
（３）また、上述した実施例１、実施例２では、信号生成部２５を備える構成であったが、これに限られない。治療装置３の構成上、Ｘ線の照射時間に相当する信号に基づいて電極カテーテル３１への高周波電力の供給を適宜規制する場合にあっては、信号生成部２５を省き同期ユニット２１から直接Ｘ線管１１に対する指示に相当する信号を出力するように構成してもよい。この場合は、同期ユニット２１がこの発明における信号生成手段に相当する。
【００５９】
（４）また、上述した本実施例２では、信号生成部２５が、Ｘ線の照射が開始される時点よりも規制期間の開始タイミングを前にする所定時間Ｔａと、Ｘ線の照射が終了する時点よりも規制期間の終了タイミングを後にする所定時間Ｔｂとに応じて、規制期間を設定したが、これに限られない。たとえば、図３（ａ）に図示するように規制期間自体の長さＴｃと、所定時間Ｔａまたは所定時間Ｔｂのいずれかとに基づいて、規制期間を設定してもよい。
【００６０】
（５）また、上述した実施例３では、信号入力部４１を備える構成であったが、電極カテーテル３１への高周波電力の供給を検知することができればこれに限られない。たとえば、電極カテーテル３１への高周波電力の供給を直接検知するセンサ等を備える構成であってもよい。
【００６１】
（６）また、上述した各実施例では、電極カテーテル３１を例示したが、電磁界を発生する電極カテーテルであれば適宜に選択、変更することができる。また、各実施例では、高周波電力の供給を規制する構成を例示したが、Ｘ線画像のノイズの原因となるのであれば、高周波に限定されるものではない。
【００６２】
（７）また、上述した各実施例では、ＦＰＤ１３を例に採って説明したが、Ｘ線を検出することができれば、イメージインテンシファイアでもよい。
【図面の簡単な説明】
【００６３】
【図１】実施例１に係る透視撮影システムの概略構成を示すブロック図である。
【図２】（ａ）は、Ｘ線の照射時間のタイミングチャートであり、（ｂ）は高周波電力の供給が規制される規制期間のタイミングチャートである。
【図３】（ａ）は、Ｘ線の照射時間のタイミングチャートであり、（ｂ）は高周波電力の供給が規制される規制期間のタイミングチャートである。
【図４】実施例３に係る透視撮影システムの概略構成を示すブロック図である。
【図５】（ａ）は電極カテーテルへの高周波電力の供給のタイミングチャートであり、（ｂ）はＸ線の照射時間のタイミングチャートである。
【図６】変形例に係る透視撮影システムの概略構成を示すブロック図である。
【符号の説明】
【００６４】
１  …透視撮影装置
３  …治療装置
１１  …Ｘ線管
１３  …フラットパネル型Ｘ線検出器（ＦＰＤ）
１５  …画像処理部
１７  …モニタ
１９  …高電圧発生器
２１、２２  …同期ユニット
２３  …治療装置規制部
２５  …信号生成部
２７  …信号出力部
３１  …電極カテーテル
３５  …高周波発生源
３７  …高周波検出器
４１  …信号入力部
５１  …スイッチ素子
Ｍ  …被検体
【図１】
0004626537.tif 000002
【図２】
0004626537.tif 000003
【図３】
0004626537.tif 000004
【図４】
0004626537.tif 000005
【図５】
0004626537.tif 000006
【図６】
0004626537.tif 000007